(57)【要約】【課題】  マスタを無駄にすることなくゴースト画像の発生を防止可能にする。【解決手段】  印刷装置のＣＰＵは、新たな版の作製指示により、機密保持モードが設定されていれば、印刷用ドラムに巻装された版の放置時間を算出し、その時間が設定時間以上経過していれば、次に印刷すべき画像が写真画像又は中間調を含む画像であるか否か（文字画像であるか）を判断する（Ｓ１〜Ｓ４）。写真画像又は中間調を含む画像であれば、上記巻装された版において画像が形成されている領域（画像エリア）と、次に印刷すべき画像のうちの（次に作製される）写真画像又は中間調の領域とが重なるか否かを判断し、重なればゴースト画像発生防止処理を実行し、版の作製を許可して新たな版を作製する（Ｓ５〜Ｓ７）。機密保持モードが設定されていない場合、次に印刷すべき画像が写真画像又は中間調を含む画像でない場合などは、すぐに版の作製を許可して新たな版を作製する（Ｓ７）。【選択図】        図４
2014046458.tif 000002
【特許請求の範囲】
【請求項１】
印刷すべき画像に基づき版を作製する製版手段と、前記製版手段が作製した版を用いて印刷を行う印刷手段とを備え、印刷に用いた版を印刷終了後も保護被膜として前記印刷手段に残置する印刷装置であって、
印刷すべき画像の種類を識別する画像識別手段と、
前記製版手段による新たな版の作製が指示された場合に、前記画像識別手段が前記印刷すべき画像は文字画像であると判断した場合には直ちに版の作製を許可し、前記画像識別手段が前記印刷すべき画像は写真画像又は中間調を含む画像であると判断した場合には所定のゴースト画像発生防止処理を実行してから版の作製を許可する制御手段とを設けたことを特徴とする印刷装置。
【請求項２】
前記制御手段は、前記画像識別手段が前記印刷すべき画像は写真画像又は中間調を含む画像であると判断した場合に、前記印刷手段に残置している版において画像が形成されている領域と、前記印刷すべき画像のうちの前記写真画像又は中間調の領域とが重なるか否か判断し、重なる場合に、前記所定のゴースト画像発生防止処理を実行してから版の作製を許可することを特徴とする請求項１に記載の印刷装置。
【請求項３】
前記制御手段は、前記画像識別手段が前記印刷すべき画像は写真画像又は中間調を含む画像であると判断した場合であって、かつ該写真画像又は中間調の平均濃度が所定値以下の場合に、前記所定のゴースト画像発生防止処理を実行してから版の作製を許可することを特徴とする請求項１又は２に記載の印刷装置。
【請求項４】
前記制御手段は、前記画像識別手段が前記印刷すべき画像は写真画像又は中間調を含む画像であると判断した場合であって、かつ該写真画像又は中間調の領域のサイズが所定値以上の場合に、前記所定のゴースト画像発生防止処理を実行してから版の作製を許可することを特徴とする請求項１から３のいずれか一項に記載の印刷装置。
【請求項５】
請求項１から４のいずれか一項に記載の印刷装置において、
計時手段を備え、
前記制御手段は、前回印刷終了時から所定時間経過していない場合には、印刷すべき画像の内容に関わらず、直ちに版の作製を許可することを特徴とする印刷装置。
【請求項６】
請求項１から５のいずれか一項に記載の印刷装置において、
機密モードを設定する機密モード設定手段を備え、
前記制御手段は、前記機密モードが設定されている場合に、前記印刷すべき画像の内容に応じた版の作製の許可に関する動作を実行し、前記機密モードが設定されていない場合には、印刷すべき画像の内容に関わらず、直ちに版の作製を許可することを特徴とする印刷装置。
【請求項７】
前記ゴースト画像発生防止処理は、前記印刷手段に残置した版を除去した後、未製版の原版を用いて前記印刷手段に所定回数の印刷動作を行わせる処理であることを特徴とする請求項１から６のいずれか一項に記載の印刷装置。
【請求項８】
前記ゴースト画像発生防止処理は、前記印刷手段に残置した版を除去した後、ベタ製版した版を用いて前記印刷手段に所定回数の印刷動作を行わせる処理であることを特徴とする請求項１から６のいずれか一項に記載の印刷装置。
【発明の詳細な説明】
【技術分野】
【０００１】
この発明は、印刷装置に関する。
【背景技術】
【０００２】
例えば、印刷すべき画像に基づき版を作製する作製手段と、その版を用いて印刷を行う印刷手段とを備えた印刷装置（以下「孔版印刷装置」ともいう）がある。
このような孔版印刷装置では、従来から、印刷に用いた版を印刷終了後も保護被膜として印刷手段に残置することが行われている。例えば、印刷に用いた版の印刷が終了しても使用済みの版である孔版印刷用原紙（以下「孔版原紙」又は「マスタ」ともいう）を円筒状版胴（「版胴」又は「印刷用ドラム」ともいう）から剥ぎ取らず、そのマスタを印刷用ドラムの保護被覆として用いるべく、そのマスタを次の印刷に際して印刷用ドラムに新しいマスタが巻き付け装着（以下「巻装」ともいう）されるまでの間、印刷用ドラムの外周面に巻装された状態のままにしておくことが行われている。
【０００３】
しかし、使用済みのマスタが印刷用ドラムの外周面に巻装されたままで放置された状態では、以下に説明するゴースト画像の発生により、機密が漏洩する恐れがある。
そこで、例えば特許文献１には、機密保持機能により機密保持モードが設定された場合、使用済みの孔版印刷用原紙（マスタ）を円筒状版胴（印刷用ドラム）より剥ぎ取って排版廃棄し、その使用済みの孔版印刷用原紙に代えて円筒状版胴の外周面に無製版の孔版印刷用原紙を新たに巻装することが記載されている。また、このことにより、使用済みの孔版印刷用原紙より機密が漏洩することが回避できることが記載されている。
【０００４】
また、特許文献２には、機密製版の場合には無穿孔の孔版原紙を版銅に装着して印刷動作を終了するようにしつつ、最終印刷動作が機密製版でない場合には、最終印刷動作の終了時点から所定の設定時間が経過すると、版胴に巻装された孔版原紙（マスタ）を取り外し、且つ、無穿孔の孔版原紙を版胴に巻き付け装着する自動機密製版動作を行うことが記載されている。また、最終印刷動作の終了時点から所定の設定時間が経過する前に主電源がオフされた場合には、機密製版することを促す旨の警告を行うことも記載されている。
【発明の概要】
【発明が解決しようとする課題】
【０００５】
しかしながら、特許文献１に記載のものでは、機密保持機能において、ゴースト画像に対し一定の効果は認められるものの、毎回、無製版のマスタを１版分消費するために、孔版印刷用原紙の消費コストを増大させてしまうといった問題がある。
特許文献２に記載のものでも、ゴースト画像の回避効果は認められるものの、やはり特許文献１に記載のものと同様の問題がある。
【０００６】
ここで、ゴースト画像の発生メカニズムについて説明する。
孔版印刷装置において、印刷終了時点の製版済みのマスタを印刷用ドラムに巻装したままで、ある一定時間以上機械を待機（放置）させた場合に、製版済みマスタ上の穿孔部分と非穿孔部分とではインキの組成変化に違いが起こる。
穿孔部分のインキはより多く空気に触れることで、インキ組成中の水相成分の蒸発が顕著となり、インキが緩み易く（粘度低下し易く）なるのに対し、非穿孔部分のインキは表面がマスタにより保護され、空気に触れる面積が少ないことで、インキ組成の変化が起こり難い。
【０００７】
機械の未使用待機時間の経過と共にその現象が顕著に現れ始め、次の製版〜印刷を行った場合に、いわゆるゴースト画像（残像現象）として画像上、特に写真画像部分に出現し、初期の数十枚程度は印刷物として使用に差し障るばかりか、前回の原稿イメージが推察されてしまうことで、機密保持上も大きな問題を有している。
この発明は、上記の点に鑑みてなされたものであり、マスタを無駄にすることなく（コストアップせずに）ゴースト画像の発生を防止可能にすることを目的とする。
【課題を解決するための手段】
【０００８】
上記の目的を達成するため、この発明は、印刷すべき画像に基づき版を作製する製版手段と、上記製版手段が作製した版を用いて印刷を行う印刷手段とを備え、印刷に用いた版を印刷終了後も保護被膜として上記印刷手段に残置する印刷装置において、印刷すべき画像の種類を識別する画像識別手段と、上記製版手段による新たな版の作製が指示された場合に、上記画像識別手段が上記印刷すべき画像は文字画像であると判断した場合には直ちに版の作製を許可し、上記画像識別手段が上記印刷すべき画像は写真画像又は中間調を含む画像であると判断した場合には所定のゴースト画像発生防止処理を実行してから版の作製を許可する制御手段とを設けたものである。
【発明の効果】
【０００９】
この発明の印刷装置によれば、マスタを無駄にすることなく（コストアップせずに）ゴースト画像の発生を防止することができる。
【図面の簡単な説明】
【００１０】
【図１】この発明の一実施形態である印刷装置のエンジン部（機構部）の構成例を示す模式図である。
【図２】図１に示した印刷装置１００の制御系のハードウェア構成例を示すブロック図である。
【図３】図２に示した印刷装置１００の機能構成を示すブロック図である。
【図４】図２に示したＣＰＵ２０１によるこの発明に関わる制御の工程の第１例を示すフローチャートである。
【図５】同じくこの発明に関わる制御の工程の第２例を示すフローチャートである。
【図６】同じくこの発明に関わる制御の工程の第３例を示すフローチャートである。
【発明を実施するための形態】
【００１１】
以下、この発明を実施するための形態を図面に基づいて具体的に説明する。
図１は、この発明の一実施形態である印刷装置のエンジン部（機構部）の構成例を示す模式図である。
この印刷装置１００のエンジン部において、製版ユニット１の中にはロール状のマスタ（孔版原紙）２が回転可能に保持されている。
【００１２】
そして、繰り出されたマスタ２は、プラテンローラ４によりサーマルヘッド５の発熱素子に押し付けられ、スキャナユニット６によって読み取った原稿画像（印刷すべき画像）に基づいて穿孔され、版３として作製される。この機能が、製版手段としての機能に相当する。なお、パーソナルコンピュータ等の外部機器から印刷データを受信可能な場合、その印刷データに基づいて生成した画像に基づいて版を作製することもできる。
【００１３】
作製された版３は、図示しないカッタユニットにより切断され、給版ローラ対７によって印刷用ドラム８の図示しないマスタクランパに向けて搬送される。搬送された版３は印刷用ドラム８の回転によりその外周面に巻装される。
印刷用ドラム８は、図示しない駆動モータにより時計回り方向に回転駆動される。この印刷用ドラム８は、微小な開孔を持つステンレス製の多孔性円筒状の支持体等により構成されている。
【００１４】
印刷用ドラム８の内部には、その印刷用ドラム８と同方向に同期して回転するインキローラ１０と、インキローラ１０の外周と僅かに隙問を置いてドクターローラ１１とが設けられている。これらインキローラ１０とドクターローラ１１との問に形成される楔状の対向空間が、インキ溜まりを形成する。インキ溜まりのインキはインキローラ１０の外周面に供給され、印刷用ドラム８の内周面に供給される。
【００１５】
印刷用ドラム８の下方には、インキローラ１０に対向して圧胴１２が設けられている。
圧胴１２は、インキローラ１０に対向した印刷用ドラム８の外周面上の位置である印圧部にて印刷用ドラム８の外周面に巻装された版３に記録媒体としての印刷用紙１３を押し付ける印圧手段で、ローラ状の回転体からなる。印圧手段はここに示す圧胴でも良いし、プレスローラが使用されることもある。
【００１６】
ここで、製版ユニット１、印刷用ドラム８、インキローラ１０、ドクターローラ１１、圧胴１２が、印刷手段としての機能を果す。
給紙手段である給紙部３１の給紙ローラ３２によって給紙トレイ３３から給紙された印刷用紙１３は、位置決めローラ（レジストローラ）対３４によってタイミングをとって印圧部に搬送される。そして、印刷用ドラム８により印刷された印刷用紙１３は、印刷用ドラム８からの印刷用紙１３の剥離を補助する排紙爪１４により印刷用ドラム８から剥離され、吸着ユニット１５へと搬送され、排紙台１６へ排紙される。
【００１７】
印刷終了時には通常、印刷済みの版３は印刷用ドラム８に巻装されたままで放置され、次回新たに製版印刷を行う場合に、排版処理が実行される。つまり、印刷済みの版３は排版手段としての排版ユニット１８に排版ローラ対１９より排版される。ただし、必要に応じて後述するゴースト画像発生防止処理が行われる。そのゴースト画像発生防止処理については、追って詳細に説明する。
【００１８】
図２は、図１に示した印刷装置１００の制御系のハードウェア構成例を示すブロック図である。
この印刷装置１００は、制御系を構成するコントローラ部のハードウェアとして、図２に示すものを備える。すなわち、ＣＰＵ２０１、ＲＯＭ２０２、ＲＡＭ２０３および時計部２０４を備える。そして、それらと、ＵＩ（ユーザインタフェース）部２０５と、エンジン部２０６とを、システムバス２０７により接続している。
【００１９】
これらのうちＣＰＵ２０１は、ＲＡＭ２０３をワークエリアとしてＲＯＭ２０２に記憶されたプログラムを実行し、ＵＩ部２０５及びエンジン部２０６をはじめとする各部の動作を制御することにより、この発明に関わる機能を含む後述する種々の機能を実現する。
ＲＯＭ２０２は、アプリケーションを含む各種プログラムや、頻繁に変更しない設定データ等を記憶する不揮発性記憶手段である。書き換え可能に構成することももちろん可能である。
ＲＡＭ２０３は、印刷すべき画像の画像データ等、一時的に記憶するデータを記憶する揮発性記憶手段である。
【００２０】
時計部２０４は、現在の時刻を生成するものである。
ＵＩ部２０５は、ユーザの操作を受け付けるための操作部と、ユーザに情報を提示するための表示部とを備えた操作パネルに相当するものである。外付けの操作部や表示部を用いてもよいことは勿論である。
エンジン部２０６は、図１を用いて説明した、印刷を実行するための物理的なハードウェアである。
【００２１】
図３は、図２に示した印刷装置１００の機能構成を示すブロック図である。図３には、この実施形態の特徴に関連する部分を中心に示した。
この印刷装置１００は、制御手段１０１と、ゴースト画像発生防止手段１０２と、不使用時間計測手段１０３と、原稿種類識別手段１０４と、画像状態識別手段１０５と、操作手段１０６と、温度検出手段１０７と、湿度検出手段１０８とを備えている。
【００２２】
これら各部のうち、制御手段１０１、ゴースト画像発生防止手段１０２、不使用時間計測手段１０３、原稿種類識別手段１０４、および画像状態識別手段１０５の機能は、図２のＣＰＵ２０１が対応するプログラムを実行することにより実現することができる。
【００２３】
制御手段１０１は、この印刷装置１００全体を制御する。例えば、機密モードが設定されている場合に、製版手段１５１による、印刷すべき画像の内容に応じた版の作製の許可に関する動作を実行し、機密モードが設定されていない場合には、印刷すべき画像の内容に関わらず、直ちに版の作製を許可する。
ゴースト画像発生防止手段１０２は、所定のゴースト画像発生防止処理を実行する。
【００２４】
ここで、ゴースト画像発生防止処理は、印刷用ドラム８に巻装されたまま放置された印刷済みの版の排版処理を実行した（印刷手段に残置した版を除去した）後、未製版の原版（つまり新たなマスタ）又はベタ製版した版を印刷用ドラム８に巻装し、その巻装した版を用いて印圧手段１５２に所定回数の印刷動作を行わせる処理である。その印刷動作には、給紙手段１５３（給紙部３１に相当する）に印刷用紙１３を給紙させる動作が含まれている。なお、ベタ製版のエリアサイズは、給紙トレイ３３にセットされている印刷用紙１３のサイズに応じて設定される。
【００２５】
また、製版手段１５１、印圧手段１５２、および給紙手段１５３は、図１によって説明した構成であり、ゴースト画像発生防止手段１０２のみを構成するものではないが、ゴースト画像発生防止手段１０２がゴースト画像発生防止処理を行う際に使用するものなので、図３にはゴースト画像発生防止手段１０２に含めて図示している。
【００２６】
不使用時間計測手段１０３は、印刷用ドラム８に巻装されている版の不使用時間の計測を行う計時手段である。その計測は、例えば、印刷終了時の時刻を図２の時計部２０４から取得し、印刷終了時刻としてＲＡＭ２０３に記憶しておき、後述する版の作製開始時にその時の時刻を図２の時計部２０４から取得し、その時刻からＲＡＭ２０３内の印刷終了時刻（前回の印刷終了時刻）を減算することによって行う。
【００２７】
原稿種類識別手段１０４は、印刷すべき画像（原稿画像）の種類、つまりその画像が文字画像であるか写真画像又は中間調を含む画像であるか否かを識別（判断）する。
画像状態識別手段１０５は、印刷すべき原稿画像の状態を判断する。例えば、次の（１）〜（３）のいずれかに示す判断を行う。
【００２８】
（１）印刷用ドラム８に巻装されている版において画像が形成されている領域（その版の画像エリア）と、次に印刷すべき画像のうちの写真画像又は中間調の領域とが重なるか否かを判断する。ここで、「画像が形成されている領域」とは、写真画像や中間調に限らず、文字画像も含む任意の画像が形成されている領域である。つまり、何らかの理由でマスタ（孔版原紙）より小さいサイズの画像に基づき版を作製したといった場合を除けば、マスタの、製版可能範囲全域となる。
（２）次に印刷すべき画像の写真画像又は中間調の平均濃度が所定値以下か否かを判断する。
（３）次に印刷すべき画像の写真画像又は中間調の領域のサイズが所定値以上か否かを判断する。
【００２９】
よって、原稿種類識別手段１０４と画像状態識別手段１０５とにより、画像識別手段としての機能を果す。
操作手段１０６は、図２のＵＩ部２０５に相当する。この操作手段１０６は、機密モードを設定するための機密モード設定手段１０６ａと、新たな版の作製を指示するための製版スタートキー１０６ｂとを備えている。機密モード設定手段１０６ａとしての機能は、操作手段１０６内のＣＰＵが実現する。製版スタートキー１０６ｂは、操作部に設けられているか、表示部の表示画面に表示される。
温度検出手段１０７は、エンジン部内の環境温度を検出する温度センサに相当する。
湿度検出手段１０８は、エンジン部内の環境湿度を検出する湿度センサに相当する。
【００３０】
この印刷装置１００において、操作手段１０６の製版スタートキー１０６ｂの押下による新たな版の作製が指示されると、制御手段１０１が、その作製指示を検出して、操作手段１０６の機密モード設定手段１０６ａによる機密モードの設定の有無を判断する。そして、機密モードが設定されていれば、不使用時間計測手段１０３に印刷用ドラム８に巻装されている版の不使用時間の算出を行わせる。このとき、不使用時間計測手段１０３は、前回の印刷終了時刻がＲＡＭ２０３に記憶されているので、現在の時刻を図２の時計部２０４から取得し、その時刻から前回の印刷終了時刻を減算することによって上記不使用時間を求める。
【００３１】
その後、不使用時間計測手段１０３によって算出した不使用時間が設定時間以上経過したか否かを判断し、その結果に基づいて、原稿種類識別手段１０４又は画像状態識別手段１０５による判断や、ゴースト画像発生防止手段１０２による処理等を行う。上記設定時間は、温度検出手段１０７によって検出された環境温度と湿度検出手段１０８によって検出された環境湿度とに応じて選定される。
【００３２】
以下、図２に示したＣＰＵ２０１によるこの発明に関わる制御の工程（手順）の各実施例について説明する。
〔第１実施例〕
まず、第１実施例について説明する。
図４は、図２に示したＣＰＵ２０１によるこの発明に関わる制御の工程の第１例を示すフローチャートである。
【００３３】
ＣＰＵ２０１は、ＵＩ部２０５からの新たな版の作製指示を検出した場合に図４の制御を開始し、まずステップＳ１で機密保持モードの設定の有無を判断する。
そして、機密保持モードが設定されていない場合には、印刷すべき画像の内容に関わらず、直ちに版の作製を許可してステップＳ７へ移行し、新たな版を作製する。
一方、機密保持モードが設定されている場合には、ステップＳ２へ進み、印刷用ドラム８に巻装されている版の不使用時間（放置時間）を算出する。
【００３４】
次に、ステップＳ３へ進み、算出した上記版の不使用時間が所定時間以上か否かを判断する。
ここで、上記の所定時間は、温度検出手段（温度センサ）１０７による検出温度および湿度検出手段（湿度センサ）１０８による検出湿度に応じてＣＰＵ２０１が選定する。
例えば、表１に示すように、高温・高湿の条件ではゴースト画像が出やすくなるので、上記の設定時間は短く設定する。また、低温・低湿の条件ではゴースト画像が出にくくなるので、設定時間は長く設定する。
【００３５】
【表１】
2014046458.tif 000003
【００３６】
そして、ステップＳ３で所定時間以上でなければ、印刷すべき画像の内容に関わらず、直ちに版の作製を許可してステップＳ７へ移行し、版を作製する。放置時間が短いので、インクが変質せず、ゴースト画像は発生しづらいと考えられるためである。
一方、ステップＳ３で所定時間以上である場合には、ステップＳ４へ進み、次に印刷すべき画像（スキャナユニット６によって読み取った原稿画像）が写真画像又は中間調を含む画像であるか否かを判断する。ここでＮｏであれば、すなわち文字画像であれば、ステップＳ５を考慮することなく版の作製を許可できるため、ステップＳ７へ移行する。
【００３７】
次に印刷すべき画像が写真画像又は中間調を含む画像である場合には、ステップＳ５へ進み、印刷用ドラム８に巻装されている版において画像が形成されている領域（その版の画像エリア）と、次に印刷すべき画像のうちの（つまり次に作製される）写真画像又は中間調の領域とが重なるか否かを判断する。
そして、重ならない場合には、版の作製を許可してステップＳ７で新たな版を作製する。写真画像又は中間調の箇所と重ならなければ、長時間の放置により多少インクが変質してもゴースト画像として現れないと考えられるためである。
【００３８】
一方、ステップＳ５で重なる場合には、ステップＳ６で所定のゴースト画像発生防止処理を実行した後、版の作製を許可してステップＳ７で新たな版を作製する。この場合、長時間の放置により発生したインクの変質が、次に印刷する画像の写真画像や中間調の領域にゴースト画像として現れる危険があるためである。
いずれの場合にも、ステップＳ７が完了すると、図４の制御を終了する。
ここで、ゴースト画像発生防止処理は、上述した通り、印刷用ドラム８に巻装されたまま放置された印刷済みの版の排版処理を実行した後、未製版の原版又はベタ製版した版を印刷用ドラム８に巻装し、その巻装した版を用いて所定回数の印刷動作を行う処理である。
【００３９】
第１実施例によれば、印刷装置１００が、新たな版の作製指示を検出した場合に、機密モードの有無、印刷用ドラム８に巻装されている版の不使用時間、又は印刷すべき画像の内容に応じて、所定のゴースト画像発生防止処理の実行要否を判断し、そのまま又は所定のゴースト画像発生防止処理を実行した後、新たな版を作製する。したがって、ゴースト画像が発生しやすい条件となった場合には機密画像がゴースト画像として印刷されてしまうことを防止して、機密情報を守ることもできる。
一方、ゴースト画像が発生しづらいか又は発生してさほど問題にならない場合にまでゴースト画像発生防止処理を行うことがないため、ゴースト画像発生防止のために使用するマスタの枚数を低減し、ゴースト画像の発生防止のためのコストを低減することができる。
【００４０】
〔第２実施例〕
次に、第２実施例について説明する。
図５は、図２に示したＣＰＵ２０１によるこの発明に関わる制御の工程の第２例を示すフローチャートである。
この第２実施例の制御のうち、図５のステップＳ１１〜Ｓ１４，Ｓ１６，Ｓ１７の処理および判断は、図４のステップＳ１〜Ｓ４，Ｓ６，Ｓ７の処理および判断と同様である。つまり、図５のステップＳ１５の判断のみが図４のステップＳ５の判断と異なる。
【００４１】
ＣＰＵ２０１は、図５のステップＳ１５において、次に印刷すべき画像の写真画像又は中間調の平均濃度が所定値以下か否かを判断し、所定値以下でなければ（つまり所定値を超えれば）そのまま、所定値以下であればステップＳ１６で所定のゴースト画像発生防止処理を実行した後、版の作製を許可してステップＳ１７で新たな版を作製する。
これは、写真画像や中間調の領域があった場合でも、濃度が濃い場合にはゴースト画像が現れにくいことを考慮したものである。
ここで、ステップＳ１５の判断を行う際、実際には次に印刷すべき画像の写真画像又は中間調の平均濃度を計測する。そして、その濃度計測を反射濃度計で行う場合、例えば上記平均濃度の所定値を「０．５」とする。
第２実施例によれば、第１実施例とは図５のステップＳ１５の判断のみが異なるだけなので、第１実施例と同様の効果を得ることができる。
【００４２】
〔第３実施例〕
次に、第３実施例について説明する。
図６は、図２に示したＣＰＵ２０１によるこの発明に関わる制御の工程の第３例を示すフローチャートである。
この第３実施例の制御のうち、図６のステップＳ２１〜Ｓ２４，Ｓ２６，Ｓ２７の処理および判断は、図４のステップＳ１〜Ｓ４，Ｓ６，Ｓ７の処理および判断と同様である。つまり、図６のステップＳ２５の判断のみが図４のステップＳ５の判断と異なる。
【００４３】
ＣＰＵ２０１は、図６のステップＳ２５において、次に印刷すべき画像の写真画像又は中間調の領域のサイズが所定値以上か否かを判断し、所定値以上でなければ（つまり所定値未満であれば）そのまま、所定値以上であればステップＳ２６で所定のゴースト画像発生防止処理を実行した後、版の作製を許可してステップＳ２７で新たな版を作製する。
これは、写真画像や中間調の領域があった場合でも、サイズが小さい場合にはゴースト画像が現れにくいか、現れても目立ちにくいことを考慮したものである。
ここで、ステップＳ２５の判断を行う際、実際には次に印刷すべき画像の写真画像又は中間調の領域のサイズを計測する。その計測したサイズと比較する所定値は、例えば「５０ｍｍ×５０ｍｍ」とする。
【００４４】
第３実施例によれば、第１実施例とは図６のステップＳ２５の判断のみが異なるだけなので、第１，第２実施例と同様の効果を得ることができる。
なお、図４ではステップＳ５の判断を、図５ではステップＳ１５の判断を、図６ではステップＳ２５の判断をそれぞれ行ったが、それらの判断を省略し、直ちに所定のゴースト画像発生防止処理を実行することもできる。
【００４５】
以上で実施形態の説明を終了するが、この発明において、各部の具体的な構成、処理の内容等は、実施形態で説明したものに限るものではない。
例えば、機密保持モードでない場合でも、ゴースト画像が現れる可能性が高い場合にはゴースト画像発生防止処理を行うようにしてもよい。しかし、この場合にはゴースト画像が発生しても単に印刷をやり直すことになるのみで機密漏洩の危険はないため、放置時間や、写真画像又は中間調の濃度及びサイズの閾値は、機密保持モードの場合より緩いものでよい。
また、以上説明してきた実施形態、動作例、および変形例の構成は、相互に矛盾しない限り任意に組み合わせて実施可能であることは勿論である。
【符号の説明】
【００４６】
１：製版ユニット    ２：マスタ    ３：版    ４：プラテンローラ
５：サーマルヘッド    ６：スキャナユニット    ７：給版ローラ対
８：印刷用ドラム    １０：インキローラ    １１：ドクターローラ    １２：圧胴
１３：印刷用紙    １４：排紙爪    １５：吸着ユニット    １６：排紙台
１８：排版ユニット    １９：排版ローラ対    ３１：給紙部    ３２：給紙ローラ
３３：給紙トレイ    ３４：レジストローラ対    １００：印刷装置
１０１：制御手段    １０２：ゴースト画像発生防止手段
１０３：不使用時間計測手段    １０４：原稿種類識別手段
１０５：画像状態識別手段    １０６：操作手段    １０６ａ：機密モード設定手段
１０６ｂ：製版スタートキー    １０７：温度検出手段    １０８：湿度検出手段
１５１：製版手段    １５２：印圧手段    １５３：給紙手段    ２０１：ＣＰＵ
２０２：ＲＯＭ    ２０３：ＲＡＭ    ２０４：時計部    ２０５：ＵＩ部
２０６：エンジン部    ２０７：システムバス
【先行技術文献】
【特許文献】
【００４７】
【特許文献１】特公昭６２−０３０１１７号公報
【特許文献２】特開２００１−２１３０３９号公報
【図１】
2014046458.tif 000004
【図２】
2014046458.tif 000005
【図３】
2014046458.tif 000006
【図４】
2014046458.tif 000007
【図５】
2014046458.tif 000008
【図６】
2014046458.tif 000009